(57)【要約】固定子固定装置は平坦なエレベータモータ（２）内にあり、このエレベータモータはモータ本体（４）を有し、モータ本体には、固定子コア（51）および巻線（52）を含む固定子（５）と、固定子に関連して取り付けられている回転子（７）とが設けられている。固定子（５）は、モータ本体（４）に固定された実質的に樋状の取付部（９）の中に取り付けられている。そして取付部（９）と固定子（５）との間のスペースは、固定子から取付部（９）へ熱を伝導する熱伝導性充填材料（12）で充填されている。
2005523674.tif 000002
【特許請求の範囲】
【請求項１】
固定子コア（51）および巻線（52）から成る固定子（５）を備えたモータ本体（４）と、該固定子に対して取り付けられている回転子（７）とを含む平坦なエレベータモータ（２）における固定子固定装置において、
前記固定子（５）は前記モータ本体（４）に取り付けられている実質的に樋状の取付部（９）の中に取り付けられていて、
該取付部（９）と前記固定子（５）との間のスペースは熱伝導性充填材料（12）で充填されていて、該熱伝導性充填材料は熱を前記固定子から前記取付部（９）に伝導する役割を果たすことを特徴とする固定子固定装置。
【請求項２】
請求項１に記載の固定装置において、前記固定子（５）は前記充填材料によって前記取付部（９）に取り付けられていることを特徴とする固定装置。
【請求項３】
請求項１に記載の固定装置において、前記充填材料は鋳造可能な材料であり、好ましくは樹脂であることを特徴とする固定装置。
【請求項４】
請求項１に記載の固定装置であって、円盤状の本体（４）と回転子（７）とを有するエレベータモータにおける固定装置において、前記樋状の取付部（９）は取付要素（10）を用いて前記モータ本体（４）の外側の縁に固定されていて、前記回転子に対して、前記固定子は前記モータ本体（４）の反対側に取り付けられていることを特徴とする固定装置。
【請求項５】
請求項１に記載の固定装置において、前記取付部（９）はアルミニウム製であることを特徴とする固定装置。
【請求項６】
請求項１に記載の固定装置において、前記取付部（９）には冷却フィン（92）が設置されていることを特徴とする固定装置。
【請求項７】
請求項１に記載の固定装置において、電動モータは円盤状のエレベータモータであることを特徴とする固定装置。
【発明の詳細な説明】
【詳細な説明】
【０００１】
本発明は平坦なエレベータモータ内にある固定子の取付装置に関するものである。そのエレベータモータはモータ本体、そのモータ本体に固定された固定子、および回転子を有する。
【０００２】
エレベータ機械装置の物理的な大きさはエレベータシャフトおよび／または建物の大きさに関係していて、その装置が位置する場所にも依存する。エレベータ機械装置がエレベータシャフトの中、もしくはその近くに位置するとき、エレベータ機械装置の厚さは設置に必要なスペースに関して非常に重要なものとなる。
【０００３】
米国特許第5,962,948号の明細書によれば、エレベータ機械装置はエレベータシャフト内に位置するものとして設計され、平坦で円盤状のエレベータモータを含む。そのエレベータモータは固定子および回転子を含んでいる。その回転子は永久磁石のついた回転子ディスクから成り、その回転子ディスクにはトラクションシーブが搭載されている。その固定子は固定子コアおよび巻線を有し、モータ本体と回転子との間にネジによる固定方法によって固定されている。
【０００４】
本発明は固定子をモータ本体に固定する新しいタイプの取付構造を実現することを目的とする。本発明によれば、固定子を冷却する手法を改善し、従来方式で作られた固定子より小さい固定子構体を作ることが可能となる。
【０００５】
本発明による取り付け構造では、固定子は樋状の取付部の内部に取り付けられていて、固定子巻線と取付部との間にあるスペースは熱伝導充填材料によって充填されている。また、その熱伝導充填材料は熱を固定子から取付部へと伝導する。本発明の構成要件は以下の特許請求の範囲に詳細に述べられている。
【０００６】
本発明によれば固定子固定装置を経済的で簡単かつ確実に取り付けることが可能となる。さらに、効率的な冷却と必然的に強力な力の密度も同様に達成される。本発明の方式では、隔離する隙間は従来技術による方式より小さくし、これによって、エレベータモータを軸方向に従来のモータより短く作ることが可能になる。この点は、エレベータモータをエレベータシャフトの中に配置するように設計する場合は特に重要である。さらに、充填材の使用は固定子の巻線が汚れることを防ぐ。したがって、モータ保護の等級を比較的簡単に上げることができる。
【０００７】
さらに、取付部および固定子は単体として形成され、そのことによって堅くしっかり固定された構造になる。
【０００８】
以下、本発明は実施例を用い、添付図面を参照して詳細に説明する。図面は本発明による固定子取付装置を示すものである。
【０００９】
図は平坦で円盤状のエレベータモータ２を示す。そのエレベータモータ２はギアレス式のエレベータ機械装置で使われていて、そのエレベータ機械装置は案内レール１の近くに位置している。エレベータモータ２はモータ本体３に形成されたディスク４と、ディスクに固定された固定子５とを含む。固定子は巻線コア51と巻線52とから成る。本体３上の軸受３には円形の回転子ディスク７とトラクションシーブ８とが取り付けられている。ディスク４の内側には凹部41があり、その凹部41は回転子のために形成されたものである。
【００１０】
固定子５は回転子７の外側に取り付けられている。すなわち、樋状の取付部９の樋91の中のディスク４の反対側に取り付けられている。そして、樋上の取付部９は例えばアルミニウムから作られている。取付部９はディスク４の外側の縁にネジ10で取り付けられている。取付部９には冷却フィン92が外側に設置されている。巻線52と取付部９との間にあるスペース11は樹脂12で満たされている。その樹脂12は熱伝導性に優れている。したがって、巻線52と特にその両端は効率よく取付部９の内側で冷やされる。樹脂は固定子を堅く取付部９に取り付ける役割も果たす。したがって、他のいかなる取付要素も必要としない。
【００１１】
当業者にとって本発明の様々な実施例が以上に説明したような例に制限されないことは明らかであり、それらの実施例は以下に記す特許請求の範囲内で改変してよい。
【図面の簡単な説明】
【００１２】
【図１】平坦で円盤状のエレベータモータ２を示す。
【図１】
2005523674.tif 000003
【手続補正書】
【提出日】平成16年4月3日(2004.4.3)
【手続補正１】
【補正対象書類名】特許請求の範囲
【補正対象項目名】全文
【補正方法】変更
【補正の内容】
【特許請求の範囲】
【請求項１】
固定子コア（51）および巻線（52）から成る固定子（５）を備えたモータ本体（４）と、該固定子に対して取り付けられている回転子（７）とを含む平坦なエレベータモータ（２）における固定子固定装置であって、前記固定子（５）は前記モータ本体（４）に取り付けられている実質的に樋状の取付部（９）の中に取り付けられていて、該取付部（９）と前記固定子（５）との間のスペースは熱伝導性充填材料（12）で充填されていて、該熱伝導性充填材料は熱を前記固定子から前記取付部（９）に伝導する役割を果たす固定子固定装置において、前記固定子（５）は前記充填材料によって前記取付部（９）に取り付けられていることを特徴とする固定子固定装置。
【請求項２】
請求項１に記載の固定装置において、前記充填材料は鋳造可能な材料であり、好ましくは樹脂であることを特徴とする固定装置。
【請求項３】
請求項１に記載の固定装置であって、円盤状の本体（４）と回転子（７）とを有するエレベータモータにおける固定装置において、前記樋状の取付部（９）は取付要素（10）を用いて前記モータ本体（４）の外側の縁に固定されていて、前記回転子に対して、前記固定子は前記モータ本体（４）の反対側に取り付けられていることを特徴とする固定装置。
【請求項４】
請求項１に記載の固定装置において、前記取付部（９）はアルミニウム製であることを特徴とする固定装置。
【請求項５】
請求項１に記載の固定装置において、前記取付部（９）には冷却フィン（92）が設置されていることを特徴とする固定装置。
【請求項６】
請求項１に記載の固定装置において、電動モータは円盤状のエレベータモータであることを特徴とする固定装置。
【国際調査報告】
2005523674.tif 000004
2005523674.tif 000005
2005523674.tif 000006